(57)【要約】【課題】造営材の開口部を大きくすることなく開口部を簡便に防水することができる電源端子台等を提供する。【解決手段】開口部３ａを有する天井３（造営材の一例）に取り付けられる電源端子台１であって、一対の第１電線４ａが挿通される一対の第１挿通孔１１１が設けられ且つ天井３の開口部３ａに挿入される筒部１１０、及び、一対の第２電線４ｂが挿通される一対の第２挿通孔１２１が設けられ且つ天井３に対向する部分を有する本体部１２０を有する筐体１００と、筐体１００に収納され、一対の第１挿通孔１１１に挿通される一対の第１電線４ａ及び一対の第２挿通孔４ｂに挿通される一対の第２電線４ｂを電気的に接続するための一対の導電板２００とを備える。【選択図】図１
2018125061.tif 000002
【特許請求の範囲】
【請求項１】
開口部を有する造営材に取り付けられる電源端子台であって、
一対の第１電線が挿通される一対の第１挿通孔が設けられ且つ前記造営材の前記開口部に挿入される筒部、及び、一対の第２電線が挿通される一対の第２挿通孔が設けられ且つ前記造営材に対向する部分を有する本体部を有する筐体と、
前記筐体に収納され、前記一対の第１挿通孔に挿通される前記一対の第１電線及び前記一対の第２挿通孔に挿通される前記一対の第２電線を電気的に接続するための一対の導電板とを備える、
電源端子台。
【請求項２】
前記造営材の前記開口部をシールするためのシール部材を、さらに備える、
請求項１に記載の電源端子台。
【請求項３】
前記シール部材は、前記筒部の外周面に設けられている、
請求項２に記載の電源端子台。
【請求項４】
前記シール部材は、前記本体部の前記造営材に対向する部分の前記造営材側の外面に設けられている、
請求項２に記載の電源端子台。
【請求項５】
前記シール部材は、前記筒部の外周面と、前記本体部の前記造営材に対向する部分の前記造営材側の外面とにわたって設けられている、
請求項２に記載の電源端子台。
【請求項６】
前記筐体は、前記一対の導電板を絶縁分離する長尺状の隔壁を有し、
前記隔壁が延在する方向は、前記一対の第２挿通孔の各々の孔軸と略平行である、
請求項１〜５のいずれか１項に記載の電源端子台。
【請求項７】
前記一対の第１挿通孔は、並行して形成され、
前記一対の第２挿通孔は、並行して形成され、
前記一対の第１挿通孔の孔軸と前記一対の第２挿通孔の孔軸とは、略直交している、
請求項１〜６のいずれか１項に記載の電源端子台。
【請求項８】
前記一対の導電板の各々は、弾性ばねの接圧によって前記一対の第１電線を保持し、
前記本体部の前記造営材に対向する部分は、前記造営材に対面する外面を有する第１外郭部と、前記第１外郭部とで前記筐体の内部空間を構成する第２外郭部とを有し、
前記第１外郭部と前記第２外郭部との間の内部空間には、解除力を受けて前記一対の導電板を可動させる解除ボタンが収納され、
前記第１外郭部には、前記解除ボタンの上方を開放する解除孔が設けられており、
前記解除ボタンが存在する部分における前記第２外郭部の外面は、外部に露出している、
請求項１〜７のいずれか１項に記載の電源端子台。
【請求項９】
請求項１〜７のいずれか１項に記載の電源端子台と、
前記電源端子台が取り付けられた器具筐体と、
前記器具筐体に配置された光源と、
前記第２電線を介して前記電源端子台と電気的に接続され、前記光源を発光させるための電力を生成する電源回路とを備える、
照明器具。
【発明の詳細な説明】
【技術分野】
【０００１】
本発明は、電源端子台及び電源端子台を用いた照明器具に関する。
【背景技術】
【０００２】
従来、ＬＥＤ又は蛍光灯を光源とする照明器具が知られている。例えば、特許文献１には、ＬＥＤによって構成された長尺状の発光モジュールと、発光モジュールが取り付けられた器具本体と、発光モジュールを覆う透光性の外郭カバーとを備える照明器具が開示されている。
【０００３】
照明器具において、光源は、電源回路（電源ユニット）と電気的に接続されており、電源回路から供給される電力によって発光する。電源回路は、電源端子台を介して系統電源（商用交流電源）から電力の供給を受ける。
【０００４】
電源回路は、照明器具内に内蔵されていた方が、照明器具外に配置する場合と比べて施工が容易である等のメリットがある。しかし、電源回路を照明器具内に内蔵すると、照明器具の高さが高くなったり照明器具の外形サイズが大きくなったりする。そこで、電源回路を照明器具に内蔵しながらも薄型で長尺状の照明器具が検討されている。
【先行技術文献】
【特許文献】
【０００５】
【特許文献１】特開２０１２−８４３６７号公報
【発明の概要】
【発明が解決しようとする課題】
【０００６】
照明器具は、天井又は壁等の造営材に設置される。例えば、照明器具は、住宅の天井の天井面に設置される。この場合、照明器具は、天井に設けられた開口部を介して系統電源からの電力供給を受ける。このとき、照明器具が系統電源からの電力供給を受けるために、電源端子台が用いられている。電源端子台には、系統電源側の系統側電線（ＶＶＦケーブル等）が接続されるとともに、照明器具の電源回路側の器具側電線（リード線等）が接続される。これにより、系統電源からの交流電力が電源端子台を介して照明器具に供給される。
【０００７】
ところで、照明器具は、キッチン、バス又はトイレ等の水回り周辺の造営材に設置される場合がある。例えば、照明器具は、キッチンの天井に設置される。この場合、照明器具は、天井に設けられた開口部に挿通された電線を介して系統電源から電力の供給を受けるが、水回り周辺に設置される照明器具については、照明器具の防水対策だけではなく、電源端子台の防水対策及び天井の開口部の防水対策が必要になる。
【０００８】
そこで、図２０に示すように、電源端子台１０００を照明器具２０００内に配置して、系統側電線を挿通させた天井３の開口部３ａをパッキン（不図示）で埋め込むことが考えられる。
【０００９】
しかしながら、電源端子台１０００を照明器具２０００内に配置すると、電源端子台１０００の防水対策として、電源端子台１０００を覆う防水カバーが必要になる。つまり、電源端子台１０００と光源と電源回路とが配置された器具本体の全体を覆うように長尺状の外郭カバー（防水カバー）を設ける必要がある。このため、照明器具２０００の高さ（厚み）が大きくなり、薄型の照明器具を実現できなくなる。
【００１０】
しかも、図２０に示される構造では、施工現場で系統側電線にパッキンを取り付ける作業が必要になるので、作業性が悪い。さらに、施工現場で作業者が系統側電線にパッキンを取り付ける方法では、天井３の開口部３ａの防水性能を保証することができない。
【００１１】
また、電源端子台の防水対策及び天井の開口部の防水対策を実現する他の方法として、図２１に示すように、電源端子台１０００を天井裏に配置して、器具側電線を挿通させた天井３の開口部３ａをパッキン（不図示）で埋め込むことも考えられる。
【００１２】
しかしながら、電源端子台１０００を天井裏に配置する場合、室内側から電源端子台１０００を天井３の開口部３ａに通す必要がある。この場合、開口部３ａの開口径が通常のφ２０ｍｍ程度であると、電源端子台１０００を開口部３ａに通すために電源端子台１０００を含む配線接続部を極端に細長くしなければならない。一方、電源端子台１０００を含む配線接続部を転がして天井裏に配置する場合は、天井３の開口部３ａの開口径を大きくしなければならない。
【００１３】
しかも、図２１に示される構造でも、器具側電線を挿通させた開口部３ａの防水を確保しておくことが好ましい。このため、図２０の構造と同様に、施工現場で器具側電線にパッキンを取り付ける作業が必要になる。このため、作業性が悪くなったり、天井３の開口部３ａの防水性能を保証することができなくなったりする。
【００１４】
本発明は、このような課題を解決するためになされたものであり、造営材の開口部を大きくすることなく開口部を簡便に防水することができる電源端子台及び照明器具を提供することを目的とする。
【課題を解決するための手段】
【００１５】
上記目的を達成するために、本発明に係る電源端子台の一態様は、開口部を有する造営材に取り付けられる電源端子台であって、一対の第１電線が挿通される一対の第１挿通孔が設けられ且つ前記造営材の前記開口部に挿入される筒部、及び、一対の第２電線が挿通される一対の第２挿通孔が設けられ且つ前記造営材に対向する部分を有する本体部を有する筐体と、前記筐体に収納され、前記一対の第１挿通孔に挿通される前記一対の第１電線及び前記一対の第２挿通孔に挿通される前記一対の第２電線を電気的に接続するための一対の導電板とを備える。
【００１６】
また、本発明に係る照明器具の一態様は、上記の電源端子台と、前記電源端子台が取り付けられた器具筐体と、前記器具筐体に配置された光源と、前記第２電線を介して前記電源端子台と電気的に接続され、前記光源を発光させるための電力を生成する電源回路とを備える。
【発明の効果】
【００１７】
造営材の開口部を大きくすることなく開口部を簡便に防水することができる。
【図面の簡単な説明】
【００１８】
【図１】実施の形態に係る電源端子台及び照明器具の設置例を示す図である。
【図２】実施の形態に係る電源端子台を斜め上方から見たときの斜視図である。
【図３】実施の形態に係る電源端子台を斜め下方から見たときの斜視図である。
【図４】実施の形態に係る電源端子台を斜め上方から見たときの分解図である。
【図５】実施の形態に係る電源端子台を斜め下方から見たときの分解図である。
【図６】実施の形態に係る電源端子台の断面図である。
【図７】実施の形態に係る電源端子台に第１電線及び第２電線を挿通したときの状態を示す斜視図である。
【図８】実施の形態に係る電源端子台に第１電線及び第２電線を挿通したときに、第２カバーを外して電源端子台を裏側から見たときの平面図である。
【図９】実施の形態に係る電源端子台に第１電線及び第２電線を挿通したときの電源端子台の内部構造を示す斜視図である。
【図１０】実施の形態に係る電源端子台に第１電線及び第２電線を挿通したときの電源端子台の内部構造を示す平面図である。
【図１１】実施の形態に係る電源端子台に第１電線及び第２電線を挿通したときの電源端子台の内部構造を示す側面図である。
【図１２】実施の形態に係る電源端子台を天井の開口部に設置する方法を説明するための図である。
【図１３】電源端子台を備える従来の照明器具の外観図である。
【図１４】図１３に示す従来の照明器具の電源端子台の周辺構造を示す図である。
【図１５】変形例１に係る電源端子台を示す図である。
【図１６】変形例２に係る電源端子台を示す図である。
【図１７】変形例３に係る電源端子台を示す図である。
【図１８】変形例４に係る電源端子台を示す図である。
【図１９】変形例５係る照明器具を示す図である。
【図２０】従来の照明器具の構成を示す図である。
【図２１】従来の照明器具の他の構成を示す図である。
【発明を実施するための形態】
【００１９】
以下、本発明の実施の形態について、図面を参照しながら説明する。なお、以下で説明する実施の形態は、いずれも本発明の好ましい一具体例を示すものである。したがって、以下の実施の形態で示される、数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００２０】
各図は、模式図であり、必ずしも厳密に図示されたものではない。各図において、実質的に同一の構成に対しては同一の符号を付しており、重複する説明は省略又は簡略化される場合がある。なお、本明細書において、「略」又は「約」とは、製造誤差や寸法公差等を含むという意味である。
【００２１】
また、本明細書及び図面において、Ｘ軸、Ｙ軸及びＺ軸は、三次元直交座標系の三軸を表しており、本実施の形態ではＺ軸方向を鉛直方向とし、Ｘ軸及びＹ軸は、互いに直交し、且つ、いずれもＺ軸に直交する軸である。
【００２２】
（実施の形態）
［電源端子台及び照明器具の全体構成］
まず、実施の形態に係る電源端子台１及び照明器具２の全体構成について、図１を用いて説明する。図１は、実施の形態に係る電源端子台１及び照明器具２の設置例を示す図である。なお、図１では、電源端子台１のシール部材３００については断面で示している。
【００２３】
電源端子台１及び照明器具２は、住宅等の建物における天井又は壁等の造営材に設置される。具体的には、図１に示すように、電源端子台１及び照明器具２は、例えばキッチン等の水廻り周辺の天井３に取り付けられる。
【００２４】
より具体的には、電源端子台１は、天井３に設けられた開口部３ａ（天井孔）に取り付けられる。天井３の開口部３ａは、例えば開口径φが１５ｍｍ〜２０ｍｍ程度の円柱状の貫通孔である。本実施の形態において、開口部３ａの開口径φは、２０ｍｍである。
【００２５】
また、照明器具２は、天井３の天井面３ｂに取り付けられる。照明器具２は、例えば、取付板及びネジ等を用いて天井３の天井面３ｂに固定される。
【００２６】
電源端子台１は、照明器具２が系統電源（商用交流電源）から電力供給を受けるための中継器として機能し、照明器具２と系統電源との間の電力経路に配置される。つまり、照明器具２は、電源端子台１を介して系統電源から電力供給を受ける。電源端子台１の詳細な構成は後述する。
【００２７】
照明器具２は、全体として薄型で長尺状の照明装置（スリムライン照明）であり、ライン状の照明光を発する。本実施の形態における照明器具２は、全体形状が扁平な略直方体であるが、これに限らない。一例として、照明器具２は、高さが約１５ｍｍで、幅が約３５ｍｍで、全長が約３０ｃｍである。
【００２８】
照明器具２は、光源２１と、電源回路２２と、器具筐体２３と、エンドキャップ２４とを備える。
【００２９】
光源２１は、例えば、１個又は複数個のＬＥＤが基板に実装された長尺状のＬＥＤモジュールである。光源２１は、器具筐体２３に配置される。なお、光源２１は、ＬＥＤによって構成されるものに限らず、蛍光灯等の既存光源であってもよい。
【００３０】
電源回路２２は、光源２１を発光させるための電力を生成する電源部（電源ユニット）である。電源回路２２は、一対の第２電線４ｂを介して電源端子台１と電気的に接続されている。電源回路２２は、回路基板に実装された複数の回路素子によって構成されている。複数の回路素子を実装するための回路基板は、光源２１の基板と同一であってもよいし、別の基板であってもよい。電源回路２２を構成する複数の回路素子は、例えば、電源端子台１を介して供給された商用の交流電力を直流電力に変換する。電源回路２２で生成された直流電力はリード線等によって光源２１に供給される。これにより、光源２１が発光して照明光が照射される。
【００３１】
器具筐体２３は、照明器具２の外郭をなす外郭筐体であり、光源２１及び電源回路２２を収納している。本実施の形態において、器具筐体２３は、光源２１及び電源回路２２が取り付けられる器具本体と、光源２１及び電源回路２２を覆う透光性の外郭カバーとによって構成されている。器具本体は、例えば金属製であるが、これに限らず、樹脂製であってもよい。外郭カバーは、例えば樹脂製であるが、これに限らず、ガラス製であってもよい。また、外郭カバーを乳白色にすることで、外郭カバーに光拡散機能を持たせてもよい。
【００３２】
エンドキャップ２４は、器具筐体２３の長手方向の端部を覆うエンドカバーである。本実施の形態において、エンドキャップ２４は、器具筐体２３の長手方向の両端部の各々に取り付けられている。２つのエンドキャップ２４のうちの一方には、一対の第２電線４ｂが挿通される挿通孔が設けられている。エンドキャップ２４は、樹脂製及び金属製のいずれであってもよい。
【００３３】
図１に示すように、電源端子台１と系統電源とは、一対の第１電線４ａによって電気的に接続されている。また、電源端子台１と照明器具２とは、一対の第２電線４ｂによって電気的に接続されている。
【００３４】
一対の第１電線４ａは、系統電源側の電線（系統側電線）である。一対の第１電線４ａは、導電材料からなる芯線と当該芯線を被覆する絶縁性の樹脂被膜とによって構成された導電線であり、例えばＶＶＦケーブル等である。各第１電線４ａの両端部分の芯線は、電気的接触のために樹脂被膜から露出している。
【００３５】
一対の第１電線４ａは天井裏に配置され、各第１電線４ａの一方の端部は、電源端子台１の天井裏側の部分から電源端子台１と電気的及び機械的に接続される。
【００３６】
一方、一対の第２電線４ｂは、照明器具２の電源回路２２側の電線（器具側電線）である。一対の第２電線４ｂも、第１電線４ａと同様に、導電材料からなる芯線と当該芯線を被覆する絶縁性の樹脂被膜とによって構成された導電線である。
【００３７】
一対の第２電線４ｂは室内側に配置される。具体的には、一対の第２電線４ｂは、天井面３ｂに沿って配置される。各第２電線４ｂの一方の端部は、電源端子台１の室内側の部分から電源端子台１と電気的及び機械的に接続される。また、各第２電線４ｂの他方の端部は、エンドキャップ２４を介して電源回路２２（例えば回路基板）と電気的及び機械的に接続される。
【００３８】
本実施の形態において、第１電線４ａの線径は、第２電線４ｂの線径よりも大きい。例えば、第１電線４ａの線径は、φ１．６ｍｍ又はφ２．０ｍｍであり、第２電線４ｂの線径は、φ０．７５ｍｍである。なお、第１電線４ａ及び第２電線４ｂの線径は、これに限るものではなく、また、第１電線４ａの線径が第２電線４ｂの線径以下であってもよい。
【００３９】
［電源端子台の詳細構成］
次に、実施の形態に係る電源端子台１の詳細な構成について、図１を参照しながら、図２〜図７を用いて説明する。図２及び図３は、実施の形態に係る電源端子台１の斜視図であり、それぞれ、電源端子台１を斜め上方から見たときと斜め下方から見たときとを示している。図４及び図５は、同電源端子台の分解図であり、それぞれ、電源端子台１を斜め上方から見たときの状態と斜め下方から見たときの状態とを示している。図６は、同電源端子台１の断面図である。図７は、同電源端子台１に第１電線４ａ及び第２電線４ｂを挿通したときの状態を示す斜視図である。
【００４０】
図２〜図６に示すように、電源端子台１は、筒部１１０及び本体部１２０を有する筐体１００と、一対の導電板２００と、シール部材３００と、解除ボタン４００とを備える。
【００４１】
本実施の形態において、筐体１００は、第１カバー１００ａと第２カバー１００ｂとによって構成されている。第１カバー１００ａ及び第２カバー１００ｂは、電源端子台１の外郭を構成する外郭カバーである。第１カバー１００ａと第２カバー１００ｂとは、例えば内部に形成した爪部と凹部（孔部）とを引っ掛ける係止構造によって互いに固定することができる。
【００４２】
第１カバー１００ａ及び第２カバー１００ｂは、例えばポリプロピレン（ＰＰ）又はポリブチレンテレフタレート（ＰＢＴ）等の絶縁樹脂材料によって構成されているが、これに限らない。
【００４３】
筒部１１０は、筐体１００の一部であり、第１カバー１００ａに設けられている。筒部１１０は、第１カバー１００ａと一体に形成されている。筒部１１０は、本体部１２０から突出するように本体部１２０の天井側の面に形成された突出部である。
【００４４】
筒部１１０は、図１に示される天井３の開口部３ａに挿通される部分である。筒部１１０の平面視の外形は、天井３の開口部３ａの平面視の内形と相似形状であるとよい。本実施の形態において、開口部３ａの内形は円形であるので、筒部１１０の平面視の外形は円形である。
【００４５】
筒部１１０には、一対の第１電線４ａが挿通される一対の第１挿通孔１１１が設けられている。本実施の形態において、一対の第１挿通孔１１１は、筒部１１０の上面部１１０ａに設けられている。
【００４６】
一対の第１挿通孔１１１は並行して形成されている。本実施の形態において、一対の第１挿通孔１１１の孔軸は、互いに略平行である。具体的には、一対の第１挿通孔１１１の孔軸は、いずれもＺ軸と略平行である。例えば、図７に示すように、一対の第１電線４ａは、いずれも筒部１１０の上から同じ方向に沿って（本実施の形態ではＺ軸方向に沿って）差し込まれるようにして一対の第１挿通孔１１１に挿通される。
【００４７】
本体部１２０は、筐体１００のうち筒部１１０以外の部分である。本実施の形態において、本体部１２０は、第１カバー１００ａの筒部１１０以外の部分と第２カバー１００ｂとによって構成される。
【００４８】
本体部１２０は、電源端子台１における室内側に残る部分であり、天井３の開口部３ａには挿入されない。本体部１２０は、扁平形状であり、本体部１２０において筒部１１０が形成された側の面とは反対側の面は、平面状の底裏面１２０ａである。具体的には、底裏面１２０ａは、第２カバー１００ｂの外面であり、外部に露出している。
【００４９】
また、本体部１２０は、天井３に対向する部分を有する。本体部１２０の天井３に対向する部分は、天井３に対面する外面を有する第１外郭部と、第１外郭部とで筐体１００の内部空間を構成する第２外郭部とを有する。本実施の形態において、第１外郭部は第１カバー１００ａの一部であり、第２外郭部は第２カバー１００ｂの一部である。
【００５０】
第１外郭部（第１カバー１００ａ）と第２外郭部（第２カバー１００ｂ）との間の内部空間には、解除ボタン４００が収納されている。第１外郭部（第１カバー１００ａ）には、解除ボタン４００の上方を開放する解除孔１２２が設けられている。また、解除ボタン４００が存在する部分における第２外郭部の外面は、第２カバー１００ｂの底裏面１２０ａであって、外部に露出する平面である。
【００５１】
このように、本体部１２０は、天井３に対向する部分として、平面視において、筒部１１０から水平方向に張り出す部分を有する。具体的には、平面視において、本体部１２０の外形は筒部１１０の外形よりも大きくなっており、筒部１１０は本体部１２０の外形で囲まれる範囲内に位置している。これにより、筒部１１０を天井３の開口部３ａに挿入するときに、本体部１２０の天井３に対向する部分がストッパとして機能する。なお、本実施の形態において、本体部１２０の高さは、筒部１１０の高さよりも小さくなっているが、これに限らない。
【００５２】
本体部１２０には、一対の第２電線４ｂが挿通される一対の第２挿通孔１２１が設けられている。本実施の形態において、一対の第２挿通孔１２１は、本体部１２０の側壁に形成されている。具体的には、一対の第２挿通孔１２１は、互いに連通するように第１カバー１００ａと第２カバー１００ｂの両方に形成されている。
【００５３】
一対の第２挿通孔１２１は並行して形成されている。本実施の形態において、一対の第２挿通孔１２１の孔軸は、互いに略平行であり、かつ、一対の第１挿通孔１１１の孔軸と略直交している。具体的には、一対の第２挿通孔１２１の孔軸は、いずれもＸ軸と略平行である。例えば、図７に示すように、一対の第２電線４ｂは、いずれも本体部１２０の側方から同じ方向に沿って（本実施の形態ではＸ軸方向に沿って）差し込まれるようにして一対の第２挿通孔１２１に挿通される。
【００５４】
筐体１００は、一対の導電板２００を絶縁分離する長尺状の隔壁１３０を有する。隔壁１３０は、本体部１２０の一部である。具体的には、隔壁１３０は、第２カバー１００ｂと一体に形成されており、絶縁樹脂材料によって構成されている。隔壁１３０が延在する方向は、一対の第２挿通孔１２１の各々の孔軸と略平行である。
【００５５】
また、隔壁１３０は、一対の第１電線４ａ同士を絶縁分離するとともに、一対の第２電線４ｂ同士も絶縁分離している。
【００５６】
次に、一対の導電板２００について、図２〜図７を参照しながら、図８〜図１１を用いて説明する。図８は、実施の形態に係る電源端子台１に第１電線４ａ及び第２電線４ｂを挿通したときに、第２カバー１００ｂを外して電源端子台１を裏側から見たときの平面図である。図９〜図１１は、同電源端子台１に第１電線４ａ及び第２電線４ｂを挿通したときの電源端子台１の内部構造を示す図であり、図９は斜視図、図１０は平面図、図１１は側面図である。
【００５７】
一対の導電板２００は、筐体１００に収納されている。図７及び図８に示すように、一対の導電板２００は、一対の第１挿通孔１１１に挿通される一対の第１電線４ａと、一対の第２挿通孔１２１に挿通される一対の第２電線４ｂとを電気的に接続するための端子板である。
【００５８】
本実施の形態において、一対の導電板２００は、第１導電板２１０と、第２導電板２２０とによって構成されている。図８〜図１１に示すように、第１導電板２１０は、一対の第１電線４ａの一方と一対の第２電線４ｂの一方とを電気的に接続し、第２導電板２２０は、一対の第１電線４ａの他方と一対の第２電線４ｂの他方とを電気的に接続する。
【００５９】
図８〜図１１に示すように、一対の導電板２００の各々（第１導電板２１０、第２導電板２２０）は、所定形状の１つの金属板を板金加工することで形成されている。各導電板２００は、例えば、プレス成形機及びフォーミング機等を用いて金属板にプレス加工を施すことで所定形状に形成することができる。導電板２００を構成する金属板の金属材料としては、例えば銅合金を用いることができるか、これに限らない。
【００６０】
一対の導電板２００の各々（第１導電板２１０、第２導電板２２０）は、速結端子であり、金属板による弾性ばねの接圧によって一対の第１電線４ａと一対の第２電線４ｂとを保持している。具体的には、各導電板２００は、第１電線４ａ及び第２電線４ｂの露出させた芯線部分（導電部）を保持している。これにより、各導電板２００と第１電線４ａ及び第２電線４ｂとが電気的及び機械的に接続される。
【００６１】
本実施の形態において、図８〜図１１に示すように、第１導電板２１０は、第１電線４ａの一方を速結構造により保持する第１速結端子部２１１と、第２電線４ｂの一方を速結構造により保持する第２速結端子部２１２とを有する。
【００６２】
第１速結端子部２１１は、傾斜部２１１ａと、金属板を９０度折り曲げることで形成され且つ傾斜部２１１ａに対向する平板部２１１ｂと、傾斜部２１１ａと平板部２１１ｂとの隙間で構成される電線挿通孔２１１ｃとを有する。
【００６３】
第１電線４ａの一方を第１速結端子部２１１に保持させる場合、筒部１１０の第１挿通孔１１１に第１電線４ａの一方を挿通して、Ｚ軸方向に沿ってこの第１電線４ａを押し込むことで電線挿通孔２１１ｃに挿通させる。このとき、第１電線４ａの押し込みによって傾斜部２１１ａが弾性変形し、この第１電線４ａが傾斜部２１１ａと平板部２１１ｂとによって挟持されて接圧を受けることになる。これにより、第１電線４ａの一方は、第１速結端子部２１１において、第１導電板２１０と電気的に接続されるとともに第１導電板２１０に保持される。
【００６４】
また、第２速結端子部２１２は、金属板の一部を切り欠いて斜めに切り起こされた傾斜部２１２ａと、傾斜部２１２ａの金属板を９０度折り曲げることで形成され且つ傾斜部２１２ａに対向する平板部２１２ｂと、傾斜部２１２ａを切り起こすことで金属板に形成された開口である電線挿通孔２１２ｃとを有する。
【００６５】
第２電線４ｂの一方を第２速結端子部２１２に保持させる場合、本体部１２０の第２挿通孔１２１に第２電線４ｂの一方を挿通して、Ｘ軸方向に沿ってこの第２電線４ｂを押し込むことで電線挿通孔２１２ｃに挿通させる。このとき、第２電線４ｂの押し込みによって傾斜部２１２ａが弾性変形し、この第２電線４ｂが傾斜部２１２ａと平板部２１２ｂとによって挟持されて接圧を受けることになる。これにより、第２電線４ｂの一方は、第２速結端子部２１２において、第１導電板２１０と電気的に接続されるとともに第１導電板２１０に保持される。
【００６６】
第１導電板２１０は、さらに、第１電線４ａの一方及び第２電線４ｂの一方と第１導電板２１０との保持状態を解除する電線解除部２１３を有する。電線解除部２１３は、解除ボタン４００の第１解除部４２１と接触している。本実施の形態において、電線解除部２１３は、第１速結端子部２１１の傾斜部２１１ａの先端に連続して形成されている。
【００６７】
また、図８〜図１１に示すように、第２導電板２２０は、第１導電板２１０と同様の構成であり。具体的には、第２導電板２２０は、第１電線４ａの他方を速結構造により保持する第１速結端子部２２１と、第２電線４ｂの他方を速結構造により保持する第２速結端子部２２２と、電線解除部２２３とを有する。
【００６８】
第１速結端子部２２１は、第１導電板２１０の第１速結端子部２１１と同様に、傾斜部２２１ａと、金属板を９０度折り曲げることで形成され且つ傾斜部２２１ａに対向する平板部２２１ｂと、傾斜部２２１ａと平板部２２１ｂとの隙間で構成される電線挿通孔２２１ｃとを有する。
【００６９】
第１電線４ａの他方を第１速結端子部２２１に保持させる場合、筒部１１０の第１挿通孔１１１に第１電線４ａの他方を挿通して、Ｚ軸方向に沿ってこの第１電線４ａを押し込むことで電線挿通孔２２１ｃに挿通させる。このとき、第１電線４ａの押し込みによって傾斜部２２１ａが弾性変形し、この第１電線４ａが傾斜部２２１ａと平板部２２１ｂとによって挟持されて接圧を受けることになる。これにより、第１電線４ａの他方は、第１速結端子部２２１において、第２導電板２２０と電気的に接続されるとともに第２導電板２２０に保持される。
【００７０】
第２速結端子部２２２は、第１導電板２１０の第２速結端子部２１２と同様に、金属板の一部を切り欠いて斜めに切り起こされた傾斜部２２２ａと、傾斜部２２２ａの金属板を９０度折り曲げることで形成され且つ傾斜部２２２ａに対向する平板部２２２ｂと、傾斜部２２２ａを切り起こすことで金属板に形成された開口である電線挿通孔２２２ｃとを有する。
【００７１】
第２電線４ｂの他方を第２速結端子部２２２に保持させる場合、本体部１２０の第２挿通孔１２１に第２電線４ｂの他方を挿通して、Ｘ軸方向に沿ってこの第２電線４ｂを押し込むことで電線挿通孔２２２ｃに挿通させる。このとき、第２電線４ｂの押し込みによって傾斜部２２２ａが弾性変形し、この第２電線４ｂが傾斜部２２２ａと平板部２２２ｂとによって挟持されて接圧を受けることになる。これにより、第２電線４ｂの他方は、第２速結端子部２２２において、第２導電板２２０と電気的に接続されるとともに第２導電板２２０に保持される。
【００７２】
電線解除部２２３は、第１電線４ａの他方及び第２電線４ｂの他方と第２導電板２２０との保持状態を解除する機能を有する。電線解除部２２３は、解除ボタン４００の第２解除部４２２と接触している。本実施の形態において、電線解除部２２３は、第２速結端子部２２２の傾斜部２２２ａの先端に連続して形成されている。
【００７３】
図１に示すように、シール部材３００は、天井３の開口部３ａをシールする。図２〜図７に示すように、シール部材３００は、筒部１１０の筒状部１１０ｂの外周面に設けられている。本実施の形態において、シール部材３００は、円筒状のリング部材であり、筒部１１０を囲むように筒部１１０の全周にわたって設けられている。
【００７４】
具体的には、シール部材３００は、エラストマー等の弾性を有する絶縁樹脂材料によって形成されており、筒部１１０の筒状部１１０ｂの外周面に押圧を付与するように当該外周面に隙間なく密着している。シール部材３００は、例えば弾性変形するゴム製であって、一例としてシリコーン樹脂によって構成されている。
【００７５】
シール部材３００は、筒部１１０の筒状部１１０ｂに装着された状態で筒部１１０とともに天井３の開口部３ａに挿入されることによって、天井３の開口部３ａをシールする。つまり、シール部材３００は、ゴムパッキンとして機能し、筒部１１０とともに開口部３ａに挿入されることによって弾性変形し、筒部１１０と開口部３ａとの隙間を埋めるように開口部３ａをシールする。
【００７６】
また、筒部１１０とともにシール部材３００を開口部３ａに挿入してシール部材３００が弾性変形することによって、電源端子台１が開口部３ａに保持される。つまり、本実施の形態における電源端子台１は、ネジ等を用いて天井３に取り付けられるのではなく、シール部材３００と開口部３ａとの摩擦保持力によって天井３に固定される。
【００７７】
図４及び図５に示される解除ボタン４００は、外部からの解除力を受けて一対の導電板２００を可動させる。解除ボタン４００は、例えばＰＰ又はＰＢＴ等の絶縁樹脂材料によって構成されているが、これに限らない。
【００７８】
図８〜図１１に示すように、本実施の形態において、解除ボタン４００は、ボタン本体部４１０と、第１解除部４２１と、第２解除部４２２とを有する。
【００７９】
ボタン本体部４１０は、解除孔１２２から挿入されたドライバーの先端部等による解除力を受ける部分を有する。本実施の形態では、解除孔１２２から解除力を受ける部分として、ボタン本体部４１０には傾斜部４１１が形成されている。
【００８０】
第１解除部４２１は、第１導電板２１０と第１電線４ａの一方及び第２電線４ｂの一方との保持状態を解除する。第１解除部４２１は第１導電板２１０の電線解除部２１３に接触している。
【００８１】
第２解除部４２２は、第２導電板２２０と第１電線４ａの他方及び第２電線４ｂの他方との保持状態を解除する。第２解除部４２２は第２導電板２２０の電線解除部２２３に接触している。
【００８２】
導電板２００と第１電線４ａ及び第２電線４ｂとの接続を解除する場合（つまり、第１電線４ａ及び第２電線４ｂを導電板２００から外す場合）、電源端子台１を手に持った状態又は電源端子台１を床等に置いた状態で行うことができる。つまり、電源端子台１の本体部１２０の底裏面１２０ａ（第２カバー１００ｂの外面）を手に当てた状態又は床等の載置面に接触させた状態で行うことができる。
【００８３】
具体的には、導電板２００と第１電線４ａ及び第２電線４ｂとの接続を解除する際、電源端子台１を手に持った状態又は電源端子台１を床等に置いた状態で、例えばドライバーの先端を解除孔１２２（図６参照）に挿入する。そして、ドライバーの先端を傾斜部４１１に当接させてＺ軸方向に沿って奥に押し込むことでボタン本体部４１０に解除力を与える。
【００８４】
これにより、ボタン本体部４１０がＸ軸方向にスライド移動するので、第１解除部４２１に接触している電線解除部２１３が可動するとともに、第２解除部４２２に接触している電線解除部２２３が可動する。
【００８５】
この結果、一対の第１電線４ａの各々及び一対の第２電線４ｂの各々と導電板２００との接圧力が緩んで、第１導電板２１０と一対の第１電線４ａ及び一対の第２電線４ｂとの保持状態が緩和される。これにより、一対の第１電線４ａ及び一対の第２電線４ｂを電線挿通孔２１１ｃ、２１２ｃ、２２１ｃ及び２２２ｃから引き抜くことができる。
【００８６】
なお、本実施の形態では、ドライバーを用いて解除ボタン４００（ボタン本体部４１０）に解除力を付与したが、解除ボタン４００に解除力を付与する道具は、ドライバーに限らない。
【００８７】
［電源端子台の設置方法］
次に、実施の形態に係る電源端子台の設置方法について、図１２を用いて説明する。図１２は、実施の形態に係る電源端子台１を天井３の開口部３ａに設置する方法を説明するための図である。
【００８８】
まず、図１２（ａ）に示すように、照明器具２を天井３の天井面３ｂに設置する。このとき、照明器具２から一対の第２電線４ｂを引き出しておく。
【００８９】
次に、図１２（ｂ）に示すように、筒部１１０にシール部材３００を装着した電源端子台１の第１挿通孔１１１（不図示）に一対の第１電線４ａを差し込むことで、一対の第１電線４ａに電源端子台１を取り付ける。同様に、電源端子台１の第２挿通孔１２１（不図示）に一対の第２電線４ｂを差し込むことで、一対の第２電線４ｂに電源端子台１を取り付ける。
【００９０】
なお、一対の第１電線４ａ及び一対の第２電線４ｂを電源端子台１に取り付ける順序は、一対の第１電線４ａが先であってもよいし、一対の第２電線４ｂが先であってもよい。
【００９１】
次に、図１２（ｃ）に示すように、筒部１１０にシール部材３００が装着された状態で筒部１１０を天井３の開口部３ａに押し込んで開口部３ａに筒部１１０を嵌め込むことで、筒部１１０と開口部３ａとの隙間をシール部材３００によってシールする。
【００９２】
このとき、シール部材３００が弾性変形するので、筒部１１０と開口部３ａとの隙間がシール部材３００で密閉される。また、シール部材３００が弾性変形することで筒部１１０と開口部３ａとの隙間にシール部材３００が埋め込まれるので、電源端子台１は、シール部材３００と開口部３ａとの摩擦保持力によって開口部３ａに保持される。これにより、電源端子台１を天井３に固定することができる。
【００９３】
［まとめ］
以上説明したように、本実施の形態における電源端子台１は、一対の第１電線４ａが挿通される一対の第１挿通孔１１１が設けられ且つ天井３の開口部３ａに挿入される筒部１１０、及び、一対の第２電線４ｂが挿通される一対の第２挿通孔１２１が設けられ且つ天井３に対向する部分を有する本体部１２０を有する筐体１００と、筐体１００に収納され、一対の第１挿通孔１１１に挿通される一対の第１電線４ａ及び一対の第２挿通孔１２１に挿通される一対の第２電線４ｂを電気的に接続するための一対の導電板２００とを備える。
【００９４】
この構成により、天井３の開口部３ａに電源端子台１の筒部１１０を挿入することで開口部３ａをシールすることができる。つまり、電源端子台１そのもので天井３の開口部３ａを止水することができる。例えば、シール部材３００を用いることによって開口部３ａをシールすることができる。
【００９５】
したがって、従来のように、施工現場において第１電線４ａ又は第２電線４ｂを開口部３ａに挿通させた状態で開口部３ａに別途パッキンを埋め込む作業を必要としないので、現場施工性に優れているとともに、電源端子台１で開口部３ａの防水性能を保証することができる。しかも、本実施の形態における電源端子台１は、電源端子台１を天井裏に配置する必要がないので、電源端子台１を細くしたり開口部３ａの開口径を大きくしたりする必要がない。
【００９６】
このように、本実施の形態における電源端子台１によれば、天井３の開口部３ａを大きくすることなく開口部３ａを簡便に防水することができる。しかも、照明器具２は設計自由度があるので、例えば薄型で長尺状の照明器具２を容易に実現することができる。
【００９７】
また、本実施の形態における電源端子台１は、天井３の開口部３ａをシールするためのシール部材３００を備えている。
【００９８】
この構成により、シール部材３００を別途容易する必要がないので、施工現場においてシール部材３００で開口部３ａを簡便にシールすることができる。
【００９９】
また、本実施の形態において、シール部材３００は、筒部１１０の外周面に設けられている。
【０１００】
この構成により、筒部１１０と天井３の開口部３ａとの間の隙間をシール部材３００でシールすることができる。したがって、シール部材３００によって開口部３ａの気密封止することができるので、開口部３ａの防水性を向上させることができる。しかも、筒部１１０と開口部３ａとの間の隙間にシール部材３００が埋め込まれることになるので、シール部材３００と開口部３ａとの摩擦保持力によって電源端子台１を天井３に固定することもできる。つまり、ネジを用いることなく、電源端子台１を天井３に保持固定させることができる。
【０１０１】
また、本実施の形態において、筐体１００は、一対の導電板２００を絶縁分離する長尺状の隔壁１３０を有し、隔壁１３０が延在する方向は、一対の第２挿通孔１２１の各々の孔軸と略平行である。
【０１０２】
この構成により、一対の第２挿通孔１２１に一対の第２電線４ｂを挿通させたときに、一対の第２電線４ｂは、隔壁１３０によって絶縁分離されることになる。これにより、電源端子台１の絶縁性能を向上させることができるだけではなく、防水性能を向上させることができる。
【０１０３】
また、本実施の形態において、一対の第１挿通孔１１１が並行して形成され、一対の第２挿通孔１２１が並行して形成され、さらに、一対の第１挿通孔１１１の孔軸と一対の第２挿通孔１２１の孔軸とが略直交している。
【０１０４】
この構成により、一対の第１挿通孔１１１に対して同じ方向から一対の第１電線４ａが挿通されて一対の第１電線４ａが並行して配置されるとともに、一対の第２挿通孔１２１に対して同じ方向から一対の第２電線４ｂが挿通されて一対の第２電線４ｂが並行して配置される。さらに、並行する一対の第１電線４ａと並行する一対の第２電線４ｂとが、略直交するねじれの位置関係で一対の導電板２００に保持される。これにより、一対の第１電線４ａが向かい合う方向（逆方向）に筐体１００に挿入される場合、又は、一対の第２電線４ｂが向かい合う方向（逆方向）に筐体１００に挿入される場合と比べて、電源端子台１を小型化することができる。
【０１０５】
また、本実施の形態において、一対の導電板２００の各々は、弾性ばねの接圧によって一対の第１電線４ａを保持しており、本体部１２０の天井３に対向する部分は、天井３に対面する外面を有する第１外郭部（第１カバー１００ａ）と、第１外郭部とで筐体１００の内部空間を構成する第２外郭部（第２カバー１００ｂ）とを有する。そして、第１外郭部と第２外郭部との間の内部空間には、解除力を受けて一対の導電板２００を可動させる解除ボタン４００が収納されており、第１外郭部には、解除ボタン４００の上方を開放する解除孔１２２が設けられている。さらに、解除ボタン４００が存在する部分における第２外郭部の外面は、平面である。
【０１０６】
これにより、第１電線４ａの接続状態を解除する解除ボタン４００を有していながら、ネジレスで小型かつ薄型の電源端子台１を実現することができる。この点について、図１３及び図１４を用いて説明する。図１３は、電源端子台１Ｘを備える従来の照明器具２Ｘの外観図である。図１４は、図１３に示す従来の照明器具２Ｘの電源端子台１Ｘの周辺構造を示す図である。
【０１０７】
図１３及び図１４に示すように、電源端子台１Ｘを備える従来の照明器具２Ｘでは、第１カバー１００ａＸと第２カバー１００ｂＸとはネジ１５０Ｘでネジ止めされている。これは、解除孔１２２Ｘからドライバーを挿入して解除ボタン４００に解除力を付与したときに、第１カバー１００ａＸと第２カバー１００ｂＸとの接続部分に解除力で大きな負荷がかかって第１カバー１００ａＸと第２カバー１００ｂＸとが外れてしまわないようにするためである。
【０１０８】
これに対して、本実施の形態における電源端子台１では、解除ボタン４００が存在する部分における第２外郭部の外面が外部に露出して開放されているので、電源端子台１を手に持った状態又は電源端子台１を床等に置いた状態で、導電板２００と第１電線４ａ及び第２電線４ｂとの接続を解除することになる。つまり、電源端子台１の底裏面１２０ａ（第２カバー１００ｂの外面）が支持される。具体的には、電源端子台１の本体部１２０の底裏面１２０ａを手に当てた状態又底裏面１２０ａが床等の載置面に接触させた状態で、ドライバーの先端を解除孔１２２から挿入してボタン本体部４１０に解除力を与えることで、導電板２００と第１電線４ａ（第２電線４ｂ）との接続を解除することができる。このため、第１外郭部（第１カバー１００ａ）と第２外郭部（第２カバー１００ｂ）との接続部分に大きな負荷がからない。したがって、第１電線４ａの接続状態を解除する解除ボタン４００を有していながらも、ネジレスで小型かつ薄型の電源端子台１を実現することができる。
【０１０９】
（変形例）
以上、本発明に係る電源端子台１等について、実施の形態に基づいて説明したが、本発明は、上記実施の形態に限定されるものではない。
【０１１０】
例えば、上記実施の形態において、シール部材３００は、筒部１１０の外周面のみに設けられていたが、これに限らない。この場合、図１５の（ａ）及び（ｂ）に示される電源端子台１Ａであってもよい。図１５の（ａ）及び（ｂ）は、それぞれ変形例１に係る電源端子台１Ａの側面図及び平面図を示している。なお、図１５（ａ）では、シール部材３００Ａを断面で示しており、図１５（ｂ）では、シール部材３００Ａの存在位置が分かりやすいようにシール部材３００Ａにハッチングを施している。
【０１１１】
図１５の（ａ）及び（ｂ）に示すように、本変形例におけるシール部材３００Ａは、筒部１１０の外周面と、本体部１２０の天井３に対向する部分の天井側の外面とにわたって設けられている。これにより、上記実施の形態と比べて、さらに開口部３ａの防水性能を向上させることができる。なお、本変形例におけるシール部材３００Ａには、解除孔１２２を露出させる貫通孔３１０が形成されているとよい。
【０１１２】
また、シール部材の形状については、図１６に示される形状であってもよい。図１６の（ａ）及び（ｂ）は、それぞれ変形例２に係る電源端子台１Ｂの側面図及び平面図を示している。なお、図１５と同様に、図１６（ａ）では、シール部材３００Ｂを断面で示しており、図１６（ｂ）では、シール部材３００Ｂの存在位置が分かりやすいようにシール部材３００Ｂにハッチングを施している。
【０１１３】
図１６の（ａ）及び（ｂ）に示すように、本変形例におけるシール部材３００Ｂは、本体部１２０の天井３に対向する部分の天井側の外面のみに設けられている。本変形例において、シール部材３００Ｂは、天井面３ｂと本体部１２０との間の隙間をシールしている。本変形例でも、開口部３ａを簡便に防水することができる。ただし、本変形例では、シール部材３００Ｂと天井面３ｂとの摩擦保持力だけでは電源端子台１Ｂを天井３に保持固定することが難しいため、別途ネジ等を用いて電源端子台１を天井３に固定するとよい。なお、本変形例におけるシール部材３００Ｂについても、シール部材３００Ｂには、解除孔１２２を露出させる貫通孔３１０を形成するとよい。
【０１１４】
また、上記実施の形態において、筒部１１０の頂部の外周端部は、略直角としたが、これに限らない。例えば、図１７に示される電源端子台１Ｃのように、筒部１１０の頂部の外周端部にテーパ部１１３を形成してもよい。図１７は、変形例３に係る電源端子台１Ｃを示す側面図である。なお、図１７でも、シール部材３００は断面で示している。
【０１１５】
図１７に示すように、筒部１１０にテーパ部１１３を形成することによって、筒部１１０を天井３の開口部３ａに容易に挿入できるので、電源端子台１を容易に天井３に取り付けることができる。つまり、現場施工性が向上する。また、筒部１１０にテーパ部１１３を形成することによって、筒部１１０が開口部３ａから抜きやすくなるので、電源端子台１を天井３から容易に取り外すこともできる。
【０１１６】
また、筒部１１０にテーパ部を形成する場合、図１８に示すように、筒部１１０の外周面全体がテーパ面となるように筒部１１０を形成してもよい。図１８は、変形例４に係る電源端子台１Ｄを示す図である。なお、図１８でも、シール部材３００Ｄは断面で示している。
【０１１７】
本変形例によれば、筒部１１０の開口部３ａへの抜き差しがさらに容易になるので、電源端子台１の天井３への取り付け及び取り外しを一層容易に行うことができる。また、本変形例におけるシール部材３００Ｄは、筒部１１０のテーパ面に合わせて内面をテーパ面にしているが、外面は垂直面のままである。これにより、テーパ部を有していながらもシール部材３００Ｄと開口部３ａとの摩擦保持力を確保することができるので、ネジを用いることなく電源端子台１Ｄを開口部３ａに容易に保持させることもできる。
【０１１８】
また、上記実施の形態において、電源端子台１は、照明器具２と別体としたが、これに限らない。例えば、図１９に示すように、電源端子台１を組み込んだ照明器具２Ａであってもよい。図１９は、変形例５係る照明器具２Ａを示す図である。
【０１１９】
図１９に示すように、本変形例における照明器具２Ａは、電源端子台１と、光源２１と、電源回路２２と、器具筐体２３と、エンドキャップ２４とを備える。電源端子台１は、器具筐体２３に取り付けられる。例えば、電源端子台１は、筒部１１０及びシール部材３００が露出するように器具筐体２３の器具本体に取り付けられる。このように、電源端子台１を照明器具２Ａに内蔵させることで、照明器具２Ａを天井３に設置させることで開口部３ａを防水することができる。
【０１２０】
また、上記実施の形態及び変形例において、シール部材は電源端子台に予め装着されていたが、これに限らない。例えば、シール部材を電源端子台と別に用意しておき、施工現場で電源端子台にシール部材を装着させて開口部３ａをシール部材でシールしてもよい。
【０１２１】
その他、実施の形態及び変形例に対して当業者が思いつく各種変形を施して得られる形態や、本発明の趣旨を逸脱しない範囲で実施の形態及び変形例における構成要素及び機能を任意に組み合わせることで実現される形態も本発明に含まれる。
【符号の説明】
【０１２２】
１、１Ａ、１Ｂ、１Ｃ、１Ｄ  電源端子台
２、２Ａ  照明器具
３  天井
３ａ  開口部
４ａ  第１電線
４ｂ  第２電線
２１  光源
２２  電源回路
２３  器具筐体
１００  筐体
１００ａ  第１カバー（第１外郭部）
１００ｂ  第２カバー（第２外郭部）
１１０  筒部
１１１  第１挿通孔
１２０  本体部
１２１  第２挿通孔
１２２  解除孔
１３０  隔壁
２００  導電板
２２０  第２導電板
３００、３００Ａ、３００Ｂ、３００Ｄ  シール部材
４００  解除ボタン
【図１】
2018125061.tif 000003
【図２】
2018125061.tif 000004
【図３】
2018125061.tif 000005
【図４】
2018125061.tif 000006
【図５】
2018125061.tif 000007
【図６】
2018125061.tif 000008
【図７】
2018125061.tif 000009
【図８】
2018125061.tif 000010
【図９】
2018125061.tif 000011
【図１０】
2018125061.tif 000012
【図１１】
2018125061.tif 000013
【図１２】
2018125061.tif 000014
【図１３】
2018125061.tif 000015
【図１４】
2018125061.tif 000016
【図１５】
2018125061.tif 000017
【図１６】
2018125061.tif 000018
【図１７】
2018125061.tif 000019
【図１８】
2018125061.tif 000020
【図１９】
2018125061.tif 000021
【図２０】
2018125061.tif 000022
【図２１】
2018125061.tif 000023